(57)【要約】【課題】外観上の見栄えを悪化させることなく、尾冠を比較的容易に軸筒に取付けて、クリップを強固に軸筒に取付ける。【解決手段】筆記具のクリップ取付構造は、後端に形成された切欠き１２と切欠きの軸方向前方に形成された係止孔１３とを有する軸筒１１と、クリップ本体２２とその後部両側から形成され先端縁が軸筒の外面に当接する取付板２３と係止孔の孔縁に係止する取付片２４と取付片が係止孔の孔縁に係止した状態で切欠きに嵌め込まれる係止片２７とを有するクリップ２１と、軸筒１１の後端より軸筒の後部に挿入される挿入部３２と切欠き１２に嵌め込まれた係止片２７に当接してクリップの後方への移動を禁止する大径部３３とを有する尾冠３１とを備える。軸筒１１の後部に内周から筒内に向かって膨出する係止用突起１６が形成され、大径部３３が係止片２７に当接した状態で係止用突起１６が係止する被係止凹部３４が挿入部３２に形成される。【選択図】  図１
2008194927.tif 000002
【特許請求の範囲】
【請求項１】
後端に形成された切欠きと前記切欠きの軸方向前方に形成された係止孔とを有する軸筒と、前記軸筒に沿って設けられたクリップ本体と前記クリップ本体の後部に形成され前方に移動して前記係止孔の孔縁に係止し後方に移動して前記係止孔の孔縁から離脱する取付片と前記クリップ本体の後端に設けられ前記取付片が前記係止孔の孔縁に係止した状態で前記切欠きに嵌め込まれる係止片とを有するクリップと、前記軸筒の後部に挿入された挿入部と前記挿入部の後部に形成され前記挿入部が前記軸筒に挿入された状態で前記係止片に当接して前記クリップの後方への移動を禁止する大径部とを有する尾冠とを備えた筆記具のクリップ取付構造において、
前記軸筒の後部に内周から筒内に向かって膨出する係止用突起が形成され、
前記大径部が前記係止片に当接した状態で前記係止用突起が係止する被係止凹部が前記挿入部に形成された
ことを特徴とする筆記具のクリップ取付構造。
【請求項２】
軸筒が金属製であって、係止用突起は前端縁が軸方向に直交するように前記軸筒を筒内に向かって切り出した切り出し片からなり、前記切り出し片からなる係止用突起は後方から前方に向かって前記軸筒の内径を縮径するように傾斜して形成され、被係止凹部は前面が軸方向に直交するように挿入部の外周に周方向に延びて形成された溝であって前記係止用突起の係止状態で前記前面が前記係止用突起の前端縁に当接するように構成された請求項１記載の筆記具のクリップ取付構造。
【請求項３】
切欠きの前方であってクリップにより覆われる前記軸筒の後部に係止用突起が形成された請求項２記載の筆記具のクリップ取付構造。
【請求項４】
先端縁が前記軸筒の外面に当接する取付板がクリップ本体の後部における幅方向の両側から前記軸筒に向かって形成され、前記取付板の先端縁が着座する座面が軸筒の後端より前方に延びて前記軸筒の外面に形成された請求項１ないし３いずれか１項に記載の筆記具のクリップ取付構造。
【請求項５】
座面が軸筒の外周を断面Ｖ字状に折り曲げることにより作られた請求項４記載の筆記具のクリップ取付構造。
【請求項６】
座面に対向する案内溝が挿入部の外周に軸方向に延びて形成された請求項５記載の筆記具のクリップ取付構造。
【請求項７】
取付片が取付板の先端における前部に形成され、クリップが前方に移動して取付片が係止孔の孔縁に係止した状態で切欠きに係止する補助取付片が取付板の先端における後部又は係止片に形成された請求項４ないし６いずれか１項に記載の筆記具のクリップ取付構造。
【発明の詳細な説明】
【技術分野】
【０００１】
本発明は、ボールペン、シャープペンシル又はこれらからなる複数の筆記軸体を備える複合筆記具等の筆記具における軸筒にクリップを取付ける筆記具のクリップ取付構造に関するものである。
【背景技術】
【０００２】
筆記具のクリップは、筆記具にとって機能上も外観デザイン上も重要な部品であり、取付構造が簡単であり、かつ、がたつきがなくて確実に取付けられることが要請される。この簡単なクリップ取付構造として、クリップを弾性に富んだ金属板で形成し、軸筒に沿って設けられたクリップ本体と、そのクリップ本体の後部に設けられた取付部と、その取付部に前方に延びる取付片を設けたものが知られている。そして、この従来のクリップ取付構造では、このクリップが取付けられる軸筒に係止孔を形成し、かかるクリップの取付片を軸筒の係止孔に挿入するとともにクリップを前方に移動させ、取付片を係止孔の孔縁に係止させることによりクリップを軸筒に取付けるようにしている。
【０００３】
また、近年では、クリップをより強固に取付けるために、軸筒の後端に切欠きを形成し、取付片が係止孔の孔縁に係止した状態でその切欠きに嵌め込まれる係止片をクリップの後端に形成し、この係止片を軸筒の後部に取付けられる尾冠により押さえる構造も提案されている（例えば、特許文献１参照。）。このクリップ取付構造における尾冠は、軸筒の後部に圧入される挿入部を有し、この挿入部が軸筒に後方から圧入された状態で切欠きに嵌め込まれた係止片に当接する大径部がこの挿入部と一体的に形成される。そして、このクリップ取付構造では、尾冠の大径部が係止片に後方から当接することにより、係止片が後端に形成されたクリップの後方への移動は禁止され、これによりクリップを強固に軸筒に取付けるとともに、係止片を大径部が覆うことによりその間に隙間が発生することを防止して外観上の見栄えを向上させることができるとしている。
【特許文献１】特開平１０−１００５９０号公報（明細書［０００８］、［００１１］、図１〜図３）
【発明の開示】
【発明が解決しようとする課題】
【０００４】
しかし、上記の従来のクリップ取付構造では、尾冠における挿入部を軸筒の後部に圧入すること自体が比較的困難な作業であって、それ専用の工具を用いて行わなければならない未だ解決すべき課題が残存していた。また、尾冠における挿入部を軸筒の後部に圧入する従来のクリップ取付構造では、圧入した力を越える力が後方に向かってクリップに作用すると、軸筒からその尾冠がクリップとともに離脱する不具合があった。また、離脱しない場合であっても、後方に向かう力がクリップに繰り返し加えられると、圧入した尾冠が徐々に軸筒の後端から後方に移動して浮き上がり、そのクリップが徐々に緩められる不具合があった。このような不具合を解消させるためには、圧入する力を増大させることが必要であるけれども、圧入する力を増大させることはその圧入作業を更に困難にするとともに、その増大された力に耐えうる軸筒と尾冠を必要とし、軸筒と尾冠の構造を複雑にする問題点もあった。また、別の案として、尾冠を軸筒に対して螺着することもことも考えられるが、尾冠を軸筒に螺着させるためには軸筒に対して尾冠を複数回回転させる必要が生じ、その回転作業が煩わしいという不具合がある。
【０００５】
本発明の目的は、尾冠を比較的容易に軸筒に取付けて、クリップを強固に軸筒に取付ける筆記具のクリップ取付構造を提供することにある。
本発明の別の目的は、外観上の見栄えを悪化させることなくクリップを強固に軸筒に取付ける筆記具のクリップ取付構造を提供することにある。
【課題を解決するための手段】
【０００６】
請求項１に係る発明は、図１に示すように、後端に形成された切欠き１２と切欠き１２の軸方向前方に形成された係止孔１３とを有する軸筒１１と、軸筒１１に沿って設けられたクリップ本体２２とクリップ本体２２の後部に形成され前方に移動して係止孔１３の孔縁に係止し後方に移動して係止孔１３の孔縁から離脱する取付片２４とクリップ本体２２の後端に設けられ取付片２４が係止孔１３の孔縁に係止した状態で切欠き１２に嵌め込まれる係止片２７とを有するクリップ２１と、軸筒１１の後部に挿入された挿入部３２と挿入部３２の後部に形成され挿入部３２が軸筒１１に挿入された状態で係止片２７に当接してクリップ２１の後方への移動を禁止する大径部３３とを有する尾冠３１とを備えた筆記具のクリップ取付構造の改良である。
その特徴ある構成は、軸筒１１の後部に内周から筒内に向かって膨出する係止用突起１６が形成され、大径部３３が係止片２７に当接した状態で係止用突起１６が係止する被係止凹部３４が挿入部３２に形成されたところにある。
【０００７】
この請求項１に記載された筆記具のクリップ取付構造では、尾冠２１の挿入部２２を後端より軸筒１１の後部に挿入し、係止用突起１６を被係止凹部３４に係止させるだけの比較的簡単な作業で尾冠３１を軸筒１１に固定することができる。ここで、クリップ２１は、前方に移動してその取付片２４を係止孔１３の孔縁に係止させることにより予め軸筒１１に取付けられる。そして、軸筒１１に固定された尾冠３１は、その大径部３３が切欠き１２に嵌め込まれた係止片２７に当接してクリップ２１の後方への移動を禁止する。よって、尾冠２１の挿入部２２を軸筒１１の後部に挿入して、その係止用突起１６を被係止凹部３４に係止させるだけの比較的簡単な作業で、クリップ２１を軸筒１１に比較的強固に固定することができる。そして、係止用突起１６を被係止凹部３４に係止させた尾冠３１は、後方に向かう力がクリップ２１に繰り返し加えられても、軸筒１１の後端から後方に移動して浮き上がるようなことはない。このため、クリップ２１が徐々に緩められるような事態を回避することができる。
【０００８】
請求項２に係る発明は、請求項１に係る発明であって、更に図３に示すように、軸筒１１が金属製であって、係止用突起１６は前端縁１６ａが軸方向に直交するように筒内に向かって切り出された切り出し片からなり、切り出し片からなる係止用突起１６は後方から前方に向かって軸筒１１の内径を縮径するように傾斜して形成され、被係止凹部３４は前面３４ａが軸方向に直交するように挿入部３２の外周に周方向に延びて形成された溝であって係止用突起１６の係止状態で前面３４ａが係止用突起１６の前端縁１６ａに当接するように構成されたことを特徴とする。
【０００９】
尾冠２１の挿入部２２を後端より軸筒１１の後部に挿入すると、係止用突起１６又は尾冠２１の挿入部２２は弾性変形し、その後、係止用突起１６が被係止凹部３４に対向した段階でその弾性変形が復元し、係止用突起１６が被係止凹部３４に挿入して係止されることになる。この請求項２に記載された筆記具のクリップ取付構造では、後方から前方に向かって軸筒１１の内径を縮径するように切り出し片からなる係止用突起１６を傾斜させて形成したので、尾冠２１の挿入部２２を軸筒１１の後部に挿入すると、係止用突起１６又は尾冠２１の挿入部２２は係止用突起１６の傾斜に従って弾性変形するので、その挿入作業を比較的容易に行わせることができる。
【００１０】
一方、弾性変形が復元して係止用突起１６が被係止凹部３４に挿入して係止された状態では、被係止凹部３４の前面３４ａが係止用突起１６の前端縁１６ａに当接するので、係止用突起１６が被係止凹部３４に挿入した尾冠３１を軸筒１１から離脱させるのを著しく困難にする。この結果、軸筒１１に挿入しやすいにもかかわらず取外しにくい尾冠３１を得ることができ、尾冠３１を比較的容易に軸筒１１に取付けて、軸筒１１から取外しにくい尾冠３１によりクリップ２１を強固に軸筒１１に取付けることができる。
また、係止用突起１６が被係止凹部３４に挿入した段階で被係止凹部３４の前面３４ａが係止用突起１６の前端縁１６ａに当接して係止するので、尾冠２１を軸筒１１の後部に挿入して係止用突起１６を被係止凹部３４に係止させることに対して節度感を持たせることができ、係止用突起１６が被係止凹部３４に係止されていない状態と、係止用突起１６が被係止凹部３４に係止された状態を明確に区別させることができる。
【００１１】
請求項３に係る発明は、請求項２に係る発明であって、切欠き１２の前方であってクリップ２１により覆われる軸筒１１の後部に係止用突起１６が形成されたことを特徴とする。
筒内に向かって切り出された切り出し片からなる係止用突起１６は、金属製の軸筒１１の外表面に凹みを生じさせるけれども、この請求項３に記載された筆記具のクリップ取付構造では、その外表面に凹みを生じさせる係止用突起１６をクリップ２１が覆うので、その係止用突起１６に起因する外表面の凹みが外部から視認されることはない。このため、外観上の見栄えを悪化させることなくクリップ２１を強固に軸筒１１に取付けることができる。
また、クリップ２１に後方に向かう力が作用すると、その力はクリップ２１を介して尾冠３１を軸筒１１から取外す方向に作用するけれども、クリップ２１により覆われる軸筒１１の後部に係止用突起１６を形成したので、被係止凹部３４の前面３４ａに前端縁１６ａが当接した係止用突起１６によりその力を確実に支えることができる。この結果、尾冠３１が軸筒１１の後端から後方に移動して浮き上がるようなことを有効に防止でき、クリップ２１の取付けが緩められてがたつくような事態を回避することができる。
【００１２】
請求項４に係る発明は、請求項１ないし３いずれか１項に係る発明であって、先端縁が軸筒１１の外面に当接する取付板２３がクリップ本体２２の後部における幅方向の両側から軸筒１１に向かって形成され、取付板２３の先端縁が着座する座面１４が軸筒１１の後端より前方に延びて軸筒１１の外面に形成されたことを特徴とする。
クリップ２１を軸筒１１に取付けるには、クリップ２１の後部に形成された取付片２４を軸筒１１の係止孔１３に挿入するとともにそのクリップ２１を前方に移動させ、取付片２４を係止孔１３の孔縁に係止させることが必要である。この請求項４に記載された筆記具のクリップ取付構造では、取付板２３の先端縁が着座する座面１４を軸筒１１の外面に形成するので、クリップ２１を軸筒１１に取付ける際にこの座面１４を目印としてこの座面１４に取付板２３を近づけることにより、取付片２４を軸筒１１の係止孔１３に挿入させることが可能となり、クリップ２１の取付け作業を容易にすることができる。
また、取付片２４が係止孔１３の孔縁に係止した状態で取付板２３の先端縁は座面１４に当接するので、軸筒１１に取付けられたクリップ２１が軸筒１１の円周方向にずれて移動するようなことを防止でき、クリップ２１の安定性を十分に確保することができる。
【００１３】
請求項５に係る発明は、請求項４に係る発明であって、更に図２に示すように、座面１４が軸筒１１の外周を断面Ｖ字状に折り曲げることにより作られたことを特徴とする。
この請求項５に記載された筆記具のクリップ取付構造では、尾冠２１の挿入部２２を軸筒１１に挿入すると、図２の一点差線で示すように、軸筒１１の外周を断面Ｖ字状に折り曲げることにより作られた座面１４のＶ字状の断面形状が引き延ばされるように弾性変形して、係止用突起１６を挿入部２２の外面から引き離すことができる。このため、尾冠２１の挿入部２２を軸筒１１に挿入する作業を更に容易することができる。
【００１４】
請求項６に係る発明は、請求項５に係る発明であって、座面１４に対向する案内溝３６が挿入部３２の外周に軸方向に延びて形成されたことを特徴とする。
この請求項６に記載された筆記具のクリップ取付構造では、座面１４に対向する案内溝３６を挿入部３２の外周に軸方向に延びて形成するので、尾冠３１を軸筒１１に挿入する際に、この案内溝３６を目印としてこの案内溝３６を座面１４に合わせるように挿入部２２を軸筒１１に挿入することにより、係止用突起１６の後方に被係止凹部３４を位置させることができ、その尾冠３１の取付けを比較的容易に行うことができる。
【００１５】
請求項７に係る発明は、請求項４ないし６いずれか１項に係る発明であって、取付片２４が取付板２３の先端における前部に形成され、クリップ２１が前方に移動して取付片２４が係止孔１３の孔縁に係止した状態で切欠き１２に係止する補助取付片２６が取付板２３の先端における後部又は係止片２７に形成されたことを特徴とする。
この請求項７に記載された筆記具のクリップ取付構造では、取付板２３に形成された取付片２４を軸筒１１の係止孔１３の孔縁に係止させ、取付板２３又は係止片２７に形成された補助取付片２６を軸筒１１の切欠き１２に係止させることによりクリップ２１を軸筒１１に取付けることができる。このため、クリップ２１の軸筒１１に対する係止箇所を増大させ、これにより軸筒１１に取付けられたクリップ２１の安定性を十分に確保することができる。
【発明の効果】
【００１６】
本発明の筆記具のクリップ取付構造では、軸筒の後部に内周から筒内に向かって膨出する係止用突起を形成し、その係止用突起が係止する被係止凹部を尾冠の挿入部に形成したので、尾冠の挿入部を後端より軸筒の後部に挿入し、係止用突起を被係止凹部に係止させるだけの比較的簡単な作業で尾冠を筒軸に固定することができる。ここで、軸筒に固定された尾冠は、その大径部が係止片に当接してクリップの後方への移動を禁止する。よって、尾冠の挿入部を軸筒の後部に挿入させるだけの比較的簡単な作業で、軸筒に後方から取付けられたクリップをその軸筒に比較的強固に固定することができる。
【００１７】
また、係止用突起が金属製の軸筒の筒内に向かって切り出された切り出し片からなり、その切り出し片からなる係止用突起を傾斜させて形成すれば、尾冠の挿入部を軸筒の後部に挿入すると、係止用突起又は尾冠の挿入部は係止用突起の傾斜に従って弾性変形するので、その挿入作業を比較的容易に行わせることができる。また、被係止凹部は係止用突起の挿入状態で前面が係止用突起の前端縁に当接するようにすれば、尾冠を軸筒から離脱させるのを著しく困難とし、クリップを軸筒により強固に固定することができる。そして、切欠きの前方であってクリップにより覆われる軸筒の後部に係止用突起を形成すれば、その係止用突起に起因する外表面の凹みをクリップが覆い、凹みが視認されることに起因する外観上の見栄えを悪化させるようなことを回避することができる。
【００１８】
また、先端縁が軸筒の外面に当接する取付板をクリップ本体の後部における幅方向の両側から軸筒に向かって形成し、その取付板の先端縁が着座する座面を軸筒の外面に形成すれば、クリップを軸筒に取付ける際にこの座面を目印としてこの座面に取付板を近づけることにより、取付片を軸筒の係止孔に挿入させることができ、その取付け作業を更に容易にすることができる。また、取付片が係止孔の孔縁に係止した状態で取付板の先端縁は座面に当接するので、軸筒に取付けられたクリップの安定性を十分に確保することができる。この場合、座面が軸筒の外周を断面Ｖ字状に折り曲げたものであれば、尾冠の挿入部を軸筒に挿入すると、座面のＶ字状の断面形状が引き延ばされるように弾性変形して、係止用突起を挿入部の外面から引き離し、尾冠の挿入部を軸筒に挿入する作業を容易することができる。
更に、取付片を取付板の先端における前部に形成し、取付片が係止孔の孔縁に係止した状態で切欠きに係止する補助取付片を取付板の先端における後部又は係止片に形成すれば、クリップの軸筒に対する係止箇所は増大し、これにより軸筒に取付けられたクリップの安定性を十分に確保することができる。
【発明を実施するための最良の形態】
【００１９】
次に本発明を実施するための最良の形態を図面に基づいて説明する。
図１に示すように、本発明の筆記具のクリップ取付構造は、軸筒１１の後部にクリップ２１を係止させ、その後、軸筒１１に後方から尾冠３１を取付けることによりクリップ２１をその軸筒１１に固定する構造である。この軸筒１１は金属製であって、円筒状に形成される。軸筒１１の後端には切欠き１２が形成され、この切欠き１２の軸方向前方の軸筒１１後部には方形状の係止孔１３が形成される。また、軸筒１１の外面には、後述するクリップ２１における一対の取付板２３の先端縁が着座する帯状の一対の座面１４，１４が切欠き１２及び係止孔１３を挟むように軸筒１１の後端より前方に延びて形成される。この一対の座面１４，１４は、軸筒１１の外面に外周方向に所定の間隔を開けて形成され、切欠き１２及び方形状の係止孔１３は、それぞれこの一対の座面１４，１４の間に形成される。
【００２０】
図２及び図４に示すように、この実施の形態における一対の座面１４，１４は、金属管からなる軸筒１１の軸方向に直交する面における断面形状がＶ字状なるようにその外周の一部を折り曲げることにより形成される。そして、切欠き１２及び方形状の係止孔１３の円周方向における幅は、一対の座面１４，１４の間隔と同等に形成される。そして、この一対の座面１４，１４の軸方向における長さは、後述するクリップ２１の取付板２３における先端縁の長さと略同一に形成される。
【００２１】
図１〜図３に示すように、軸筒１１の尾冠３１が取付けられる後部には内周から筒内に向かって膨出する係止用突起１６が形成される。この係止用突起１６は、切欠き１２の前方でありかつ一対の座面１４，１４の間であって、後述するクリップ２１により覆われる軸筒１１の後部に形成される。図３に詳しく示すように、この係止用突起１６は前端縁１６ａが軸方向に直交するように軸筒１１の筒内に向かって切り出された切り出し片からなり、軸筒１１の筒内に膨出した係止用突起１６は後述する被係止凹部３４への挿入を容易にするために後方から前方に向かって軸筒１１の内径を縮径するように傾斜して形成される。
【００２２】
図１に戻って、クリップ２１は、軸筒１１に沿って設けられたクリップ本体２２と、そのクリップ本体２２の後部における幅方向の両側から軸筒１１に向かって形成された一対の取付板２３を備える。このクリップ２１は金属製であって、クリップ本体２２の前部には軸筒１１の外表面に弾性により接触する膨出部２２ａが形成される。図２及び図４に示すように、クリップ本体２２の後部は幅方向において軸筒１１を覆うようになだらかに湾曲しその両端が折り曲げられて取付板２３が両側にそれぞれ形成される。そして図４に示すように、クリップ本体２２の両側に形成された一対の取付板２３，２３の先端縁は軸筒１１の外面に形成された一対の座面１４，１４に着座するようにその間隔が一対の座面１４，１４の間隔と同等になるように形成される。
【００２３】
図１及び図５に示すように、取付板２３の先端には取付片２４と補助取付片２６がそれぞれ形成される。取付片２４と補助取付片２６はそれぞれ前方に向かって開口するフック状に形成され、取付片２４は一対の取付板２３，２３の先端における前部にそれぞれ形成され、補助取付片２６は一対の取付板２３，２３の先端における後部にそれぞれ形成される。そして、取付片２４は図１の一点鎖線の矢印で示すように係止孔１３に挿入しその後クリップ２１を前方に移動することによりその係止孔１３の孔縁に係止し、その孔縁に係止した取付片２４はクリップ２１を後方に移動させるとその係止孔１３の孔縁から離脱可能に構成される。一方、取付片２４と補助取付片２６との前後方向における間隔は切欠き１２と係止孔１３の間隔に等しく、前方に移動した取付片２４が係止孔１３の孔縁に係止した状態で補助取付片２６は切欠き１２に係止するように構成され、クリップ２１を後方に移動させて係止孔１３の孔縁から取付片２４を離脱させると、切欠き１２に係止していた補助取付片２６もその切欠き１２から離脱するように構成される。
【００２４】
図１、図３及び図５に示すように、クリップ２１は、クリップ本体２２の後端に形成された係止片２７を備える。係止片２７は一対の取付板２３，２３の後端縁を連結してその間を閉塞するようにクリップ本体２２の後端を折り曲げることにより作られる。また、図５に示すように、取付片２４が係止孔１３の孔縁に係止し、補助取付片２６が切欠き１２に係止した状態で、この係止片２７は切欠き１２に嵌め込まれるように構成される。そして、係止片２７は切欠き１２に嵌め込まれた状態でその後面が軸筒１１の後端縁１１ａ（図１）と面一になるように形成される。
【００２５】
図１に戻って、この軸筒１１の後部に取付けられる尾冠３１は、その軸筒１１の後端より軸筒１１の後部に挿入される断面円形の挿入部３２と、その挿入部３２と同軸にその挿入部３２に連続してその挿入部３２と一体的に形成された大径部３３とを有する。図３に示すように、この実施の形態における大径部３３は、その外径が軸筒１１の後部における外径と同径に形成される。即ち、挿入部３２が軸筒１１の後部に挿入された状態で大径部３３の前端縁３３ａが軸筒１１の後端縁１１ａに当接すると、その大径部３３の外周は軸筒１１の後部における外周となめらかに連続するように構成される。そして、軸筒１１の後端縁１１ａに当接する大径部３３の前端縁３３ａは、切欠き１２に嵌め込まれた係止片２７に後方から当接して、取付片２４が係止孔１３の孔縁に係止し補助取付片２６が切欠き１２に係止したクリップ２１の後方への移動を禁止するように構成される。
【００２６】
一方、尾冠３１の挿入部３２には、その大径部３３が係止片２７に当接した状態で係止用突起１６が挿入する被係止凹部３４が形成される。この被係止凹部３４は前面が軸方向に直交するように挿入部３２の外周に周方向に延びて形成された溝であって、図３に示すように、係止用突起１６の挿入状態で被係止凹部３４の前面３４ａが切り出し片からなる係止用突起１６の前端縁１６ａに当接するように構成される。そして、被係止凹部３４の前面３４ａが係止用突起１６の前端縁１６ａに当接することにより、尾冠３１が軸筒１１に対して後方に移動することを防止するように構成される。また、尾冠３１における挿入部３２には、軸筒１１の座面１４に対向する案内溝３６が軸方向に延びて形成される。図２及び図４に示すように、この案内溝３６は、断面Ｖ字状に形成された座面１４の筒内側表面形状に相応して形成され、この案内溝３６には、切欠き１２に係止した補助取付片２６が進入可能なスリット３７が軸方向に延びて形成される。
【００２７】
この実施の形態における筆記具は、複数の筆記軸体が軸筒１１の内部に収容される複合筆記具であって、図１に示すように、複数の筆記軸体を選択的に出没させる図示しないカム筒を回転不能にかつ軸方向に移動可能に取付ける取付部３８が、尾冠３１における挿入部３２に形成される。この実施の形態における尾冠３１は樹脂成型品であって、大径部３３と挿入部３２と取付部３８はその成型時に一体的に形成される。また、この尾冠３１には、大径部３３と挿入部３２を貫通する貫通孔３９が形成される。この貫通孔３９は、図示しないカム筒により突出された筆記軸体のノックを可能とするノック部材が設けられるところであり、この図示しない複数の筆記軸体、カム筒及びノック部材の構造は、従来公知のものと同一であるので、ここにおける説明を省略する。
【００２８】
このように構成された筆記具のクリップ取付構造では、クリップ２１の取付片２４を係止孔１３に挿入させるとともに補助取付片２６を切欠き１２の後方に位置させ、その後クリップ２１を前方に移動させることにより取付片２４を係止孔１３の孔縁に係止させ、同時に補助取付片２６を切欠き１２に係止させる。このようにクリップ２１を軸筒１１に取付けると、クリップ２１における係止片２７が切欠き１２に嵌め込まれる。その後、尾冠３１をその軸筒１１に後方から挿入する。尾冠２１の挿入部２２を後端より軸筒１１の後部に挿入すると、係止用突起１６は被係止凹部３４に挿入して係止し、これにより尾冠３１は軸筒１１に取付けられる。そして、尾冠３１が軸筒１１に取付けられると、尾冠３１における大径部３３が切欠き１２に嵌め込まれた係止片２７に当接してクリップ２１の後方への移動を禁止し、そのクリップ２１を軸筒１１に固定する。よって、尾冠２１の挿入部２２を軸筒１１の後部に挿入させるだけの比較的簡単な作業でクリップ２１を軸筒１１に固定することができる。
【００２９】
また、軸筒１１が金属製であって、係止用突起１６は前端縁１６ａが軸方向に直交するように筒内に向かって切り出された切り出し片からなり、切り出し片からなる係止用突起１６は後方から前方に向かって軸筒１１の内径を縮径するように傾斜して形成したので、尾冠２１の挿入部２２を軸筒１１の後部に挿入すると、係止用突起１６又は尾冠２１の挿入部２２は係止用突起１６の傾斜に従って弾性変形するので、その挿入作業を比較的容易に行わせることができる。そして、係止用突起１６を被係止凹部３４に挿入させると、被係止凹部３４の前面３４ａが係止用突起１６の前端縁に当接して係止されるので、係止用突起１６が被係止凹部３４に挿入した尾冠３１を軸筒１１から離脱させるのを著しく困難とすることができる。この結果、クリップ２１を軸筒１１により強固に固定することができる。
【００３０】
また、係止用突起１６が被係止凹部３４に挿入した段階で被係止凹部３４の前面３４ａが係止用突起１６の前端縁に当接するので、尾冠２１を軸筒１１の後部に挿入して係止用突起１６を被係止凹部３４に係止させることに対して節度感を持たせることができ、係止用突起１６が被係止凹部３４に係止していない状態と、係止用突起１６が被係止凹部３４に係止した状態を明確に区別させることができる。
【００３１】
また、切欠き１２の前方であってクリップ２１により覆われる軸筒１１の後部に係止用突起１６を形成したので、筒内に向かって切り出された切り出し片からなる係止用突起１６の軸筒１１の外表面に生じる凹みをクリップ２１により覆うことができる。このため、その係止用突起１６に起因する外表面の凹みが外部から視認されることはなく、外観上の見栄えを悪化させることなくクリップ２１を強固に軸筒１１に取付けることができる。
【００３２】
また、軸筒１１の後端より前方に延びて形成され取付板２３の先端縁が着座する座面１４を軸筒１１の外面に形成したので、クリップ２１を軸筒１１に取付ける際にこの座面１４を目印としてこの座面１４に取付板２３を近づけることにより、取付板２３の先端に形成されたの取付片２４を軸筒１１の係止孔１３に挿入させることが可能となり、その取付け作業を更に容易にすることができる。また、取付片２４が係止孔１３の孔縁に係止した状態で取付板２３の先端縁は座面１４に当接するので、軸筒１１に取付けられたクリップ２１の安定性を十分に確保することができる。そして、尾冠２１の挿入部２２を軸筒１１に挿入すると、図２の一点差線で示すように、軸筒１１の外周を断面Ｖ字状に折り曲げることにより作られた座面１４のＶ字状の断面形状が引き延ばされるように弾性変形して、係止用突起１６を挿入部２２の外面から引き離すことができる。このため、尾冠２１の挿入部２２を軸筒１１に挿入する作業を更に容易することができる。
【００３３】
また、座面１４に対向する案内溝３６を挿入部３２の外周に軸方向に延びて形成したので、尾冠３１を軸筒１１に挿入する際に、この案内溝３６を目印としてこの案内溝３６を座面１４に合わせるように挿入部２２を軸筒１１に挿入することにより、その尾冠３１の取付けを比較的容易に行うことができる。そして、前方に移動して取付片２４が係止孔１３の孔縁に係止した状態で切欠き１２に係止する補助取付片２６を取付板２３に形成したので、取付板２３の先端における前部に形成されたの取付片２４を軸筒１１の係止孔１３の孔縁に係止させ、取付板２３の先端における後部に形成された補助取付片２６を軸筒１１の切欠き１２に係止させることによりクリップ２１を軸筒１１に取付けることができる。このため、クリップ２１の軸筒１１に対する係止箇所を増大させることができ、これにより軸筒１１に取付けられたクリップ２１の安定性を十分に確保することができる。
【００３４】
なお、上述した実施の形態では、切欠き１２に係止する補助取付片２６を取付板２３の先端における後部に形成する例を示したが、前方に移動して取付片２４が係止孔１３の孔縁に係止した状態で切欠き１２に係止可能である限り、補助取付片２６を係止片２７に形成しても良い。このように、補助取付片２６を係止片２７に形成しても、クリップ２１の軸筒１１に対する係止箇所を増大させることができ、軸筒１１に取付けられたクリップ２１の安定性を十分に確保することができる。
【図面の簡単な説明】
【００３５】
【図１】本発明実施形態の筆記具用尾冠３１の取付構造を示す分解斜視図である。
【図２】図１のＡ−Ａ線断面図である。
【図３】図２のＢ−Ｂ線断面図である。
【図４】図１のＣ−Ｃ線断面図である。
【図５】図４のＤ−Ｄ線断面図である。
【符号の説明】
【００３６】
１１  軸筒
１２  切欠き
１３  係止孔
１４  座面
１６  係止用突起
１６ａ  前端縁
２１  クリップ
２２  クリップ本体
２３  取付板
２４  取付片
２６  補助取付片
２７  係止片
３１  尾冠
３２  挿入部
３３  大径部
３４  被係止凹部
３４ａ  前面
【図１】
2008194927.tif 000003
【図２】
2008194927.tif 000004
【図３】
2008194927.tif 000005
【図４】
2008194927.tif 000006
【図５】
2008194927.tif 000007